(57)【要約】【課題】  差動信号出力を用いてより低電圧駆動が可能な光変調器を提供すること。【解決手段】  電気光学効果を有する基板１に光導波路（２１，２２）と制御電極が形成され、該光導波路は、少なくとも一つのマッハツェンダー型光導波路を有する光変調器において、該制御電極は、３つの信号電極を挟む２つの接地電極を備え、前記３つの信号電極は、第１（Ｓ１）信号電極を挟む第２（Ｓ２）及び第３（Ｓ３）信号電極で構成され、差動信号の一方の変調信号（Ｓ＋）が該第１信号電極に印加され、他方の変調信号（Ｓ−）は該第２及び該第３信号電極に印加される配線構造を備え、該マッハツェンダー型光導波路の２つの分岐導波路の一方（２１）は、該第１及び該第２信号電極の間に、他方（２２）は該第１及び該第３信号電極の間に、各々配置されていることを特徴とする。【選択図】図３
2020166164.tif 000002
【特許請求の範囲】
【請求項１】
電気光学効果を有する基板に光導波路と制御電極が形成され、
該光導波路は、少なくとも一つのマッハツェンダー型光導波路を有する光変調器において、
該制御電極は、３つの信号電極を挟む２つの接地電極を備え、
前記３つの信号電極は、第１信号電極を挟む第２及び第３信号電極で構成され、
差動信号の一方の変調信号が該第１信号電極に印加され、他方の変調信号は該第２及び該第３信号電極に印加される配線構造を備え、
該マッハツェンダー型光導波路の２つの分岐導波路の一方は、該第１及び該第２信号電極の間に、他方は該第１及び該第３信号電極の間に、各々配置されていることを特徴とする光変調器。
【請求項２】
請求項１に記載の光変調器において、該配線構造は、１組の差動信号を入力する入力配線を、該差動信号の一方の変調信号を出力する１つの出力配線と、該差動信号の他方の変調信号を出力する２つの出力配線とに変換する変換線路を有することを特徴とする光変調器。
【請求項３】
請求項２に記載の光変調器において、該変換線路は、前記電気光学効果を有する基板の外部配置された中継基板に設けられていることを特徴とする光変調器。
【請求項４】
請求項１乃至３のいずれかに記載の光変調器において、前記電気光学効果を有する基板の外部に配置された中継基板に、差動信号を出力するドライバ回路が設けられていることを特徴とする光変調器。
【請求項５】
請求項１乃至４のいずれかに記載の光変調器において、該第１乃至第３信号電極の少なくとも一部には、光導波路の延在する延在方向に沿って電極が２つに分割され、分割された電極間には該延在方向に沿って部分的に電気的接続が施されていることを特徴とする光変調器。
【請求項６】
請求項１乃至５のいずれかに記載の光変調器において、該光導波路は、複数のマッハツェンダー型光導波路を並列して配置する構造を備え、隣接するマッハツェンダー型光導波路に挟まれた該接地電極に、信号クロストークを抑制するためのクロストーク抑制手段を設けたことを特徴とする光変調器。
【発明の詳細な説明】
【技術分野】
【０００１】
本発明は、光変調器に関し、特に、少なくとも一つのマッハツェンダー型光導波路を備え、差動信号によって駆動される光変調器に関する。
【背景技術】
【０００２】
近年、光変調器には高速化や小型化のニーズが高まっている。マッハツェンダー型光導波路を組み込んだ光変調器において、構成が簡略で、使用上も簡便な電極構造は、図１に示すように、単一の信号電極（Ｓ＋）で駆動するシングルエンド電極である。図１では、マッハツェンダー型光導波路を構成する２つの分岐導波路（２１，２２）の間に信号電極（Ｓ＋）を配置し、その両側に接地電極（Ｇ）を配置している。各分岐導波路（２１，２２）には、点線矢印で示すような異なる方向の電界が同時に印加されるよう構成されている。このような電極間に光導波路を配置する構成は、電気光学効果を有する基板がＸカット板のニオブ酸リチウム（ＬＮ）などの基板のように横断面方向に高い電気光学定数をもつ場合に、変調効率が高くなる。
【０００３】
しかしながら、５０Ｇｂａｕｄを超える動作レートでは、高速な信号を品質の劣化をできる限り少なくして変調を行うために、信号が伝搬する伝送線路を短縮化して高周波での伝送路の損失を抑制したり、個々の部品の電気接続によって発生する反射や損失による特性の劣化を防ぐ必要がある。このため、信号処理素子であるＤＳＰ（Ｄｉｇｉｔａｌ  Ｓｉｇｎａｌ  Ｐｒｏｃｅｓｓｏｒ）の出力信号で光変調器を直接駆動したり、光変調器の筐体内に信号増幅用のドライバ素子を内蔵することが検討されている。
【０００４】
ＤＳＰの出力には、線路伝送中の外部ノイズなどの影響を抑制したり、低電圧での動作を可能とするために、差動信号出力構成が用いられている。そして図１のようなシングルエンド電極の構成の光変調器を駆動する場合は、ドライバ素子では差動信号で入力された信号をシングルエンドの信号に変換、増幅して出力される。このようなドライバ素子では、単一の半導体チップでは素子の出力が光変調器の駆動に十分な振幅に増幅できないため、複数の半導体チップを用いて素子が構成されている。
【０００５】
さらに、小型化を実現するためにも、ＤＳＰで光変調器を直接駆動や、光変調器の筐体内に信号増幅用のドライバ素子を内蔵することが有効である。ドライバ素子を内蔵する場合には、単一の半導体チップで構成されたドライバ素子を集積化することが小型化に対して望ましい。このような単一チップのドライバ素子では、差動信号出力の素子を用いて差動の電位差を変調に利用することで、効率的な変調が可能となる。このような場合に対応するためにも、光変調器は差動出力で駆動する必要がある。
【０００６】
図２は、光変調器に入力される差動信号の同相（Ｓ＋）と逆相（Ｓ−）の両方の変調信号を用いて、電極間に導波路が配置される光変調器の電極構成の一例である。図２では接地電極（Ｇ）間に差動信号の各々の信号電極を配置している。しかしながら、マッハツェンダー型光導波路の分岐導波路（２１，２２）に加わる電界の強度は、信号電極（Ｓ＋又はＳ−）と接地電極（Ｇ）との電位差による電界強度しか印加されず、差動信号の電位差で駆動することは出来ない。このため、差動信号を用いた場合であっても、シングルエンド信号を用いた場合と、変調の効率がほとんど変わらないため、必要な作用部が長くなり素子サイズを小型にすることが困難となる。
【０００７】
特許文献１には、半導体型のマッハツェンダー光変調器において、２つの分岐導波路の各々に差動信号出力の２つの変調信号を印加されるように、１つの分岐導波路に対して２つの信号電極を各々配置する構成が開示されている。これにより、各分岐導波路に差動信号の電位差による駆動が可能となり、図２の電極構成よりも駆動電圧が低減されるが、１つのマッハツェンダー型光導波路に合計４本の信号電極が配置されるため、電極構造が複雑化する上、光変調器の小型化も難しくなる。
【０００８】
他方、コヒーレント通信用変調器などでは、複数のマッハツェンダー型光導波路を入れ子状に配置したネスト型光導波路など、複数のマッハツェンダー型光導波路を集積化した光変調器が使用されている。
集積化した光変調器においては、互いの電極間の間隔が狭くなり、隣接する光変調部での変調信号のクロストーク現象が発生し易くなる。しかも、変調速度が上昇するに従い、クロストーク現象の発生がより顕著となり、変調出力の品質劣化が大きな課題となっている。
【０００９】
クロストーク現象を抑制する方法として効果的なのが、複数のマッハツェンダー型光導波路を有する光変調器において、隣接する光変調部の間隔を広げ、電極間や線路間の間隔を広くすることである。しかしながら、電極間隔を広くすると光導波路の間隔も広げる必要があり、分岐部等の光導波路の曲げに要する長さが長くなり、光変調器自体のサイズが大きくなるだけでなく、光損失の増加も無視できなくなる。
【００１０】
各マッハツェンダー型光導波路に図１のようなシングルエンド電極を利用した場合、電極の数は少なくて済むが、差動信号の電位差を効果的に活用することができない。また、特許文献１のように、一つのマッハツェンダー型光導波路に対して４本の信号電極を配置した場合には、それを取り囲む接地電極間の間隔が図１や図２と比較して広くなるため、電界が隣接する変調部（作用部）に漏出し易くなり、クロストーク現象がより発生し易くなる。
【先行技術文献】
【特許文献】
【００１１】
【特許文献１】特開２０１８−１８０２５５号公報
【発明の概要】
【発明が解決しようとする課題】
【００１２】
本発明が解決しようとする課題は、上述したような問題を解決し、差動信号出力を用いてより低電圧駆動が可能な光変調器を提供することである。しかも、複数のマッハツェンダー型光導波路を集積化した光変調器において、さらに、クロストーク現象の発生を抑制した光変調器を提供することである。
【課題を解決するための手段】
【００１３】
上記課題を解決するため、本発明の光変調器は、以下の技術的特徴を有する。
（１）  電気光学効果を有する基板に光導波路と制御電極が形成され、該光導波路は、少なくとも一つのマッハツェンダー型光導波路を有する光変調器において、該制御電極は、３つの信号電極を挟む２つの接地電極を備え、前記３つの信号電極は、第１信号電極を挟む第２及び第３信号電極で構成され、差動信号の一方の変調信号が該第１信号電極に印加され、他方の変調信号は該第２及び該第３信号電極に印加される配線構造を備え、該マッハツェンダー型光導波路の２つの分岐導波路の一方は、該第１及び該第２信号電極の間に、他方は該第１及び該第３信号電極の間に、各々配置されていることを特徴とする。
【００１４】
（２）  上記（１）に記載の光変調器において、該配線構造は、１組の差動信号を入力する入力配線を、該差動信号の一方の変調信号を出力する１つの出力配線と、該差動信号の他方の変調信号を出力する２つの出力配線とに変換する変換線路を有することを特徴とする。
【００１５】
（３）  上記（２）に記載の光変調器において、該変換線路は、前記電気光学効果を有する基板の外部配置された中継基板に設けられていることを特徴とする。
【００１６】
（４）  上記（１）乃至（３）のいずれかに記載の光変調器において、前記電気光学効果を有する基板の外部に配置された中継基板に、差動信号を出力するドライバ回路が設けられていることを特徴とする。
【００１７】
（５）  上記（１）乃至（４）のいずれかに記載の光変調器において、該第１乃至第３信号電極の少なくとも一部には、光導波路の延在する延在方向に沿って電極が２つに分割され、分割された電極間には該延在方向に沿って部分的に電気的接続が施されていることを特徴とする。
【００１８】
（６）  上記（１）乃至（５）のいずれかに記載の光変調器において、該光導波路は、複数のマッハツェンダー型光導波路を並列して配置する構造を備え、隣接するマッハツェンダー型光導波路に挟まれた該接地電極に、信号クロストークを抑制するためのクロストーク抑制手段を設けたことを特徴とする。
【発明の効果】
【００１９】
本発明は、電気光学効果を有する基板に光導波路と制御電極が形成され、該光導波路は、少なくとも一つのマッハツェンダー型光導波路を有する光変調器において、該制御電極は、３つの信号電極を挟む２つの接地電極を備え、前記３つの信号電極は、第１信号電極を挟む第２及び第３信号電極で構成され、差動信号の一方の変調信号が該第１信号電極に印加され、他方の変調信号は該第２及び該第３信号電極に印加される配線構造を備え、該マッハツェンダー型光導波路の２つの分岐導波路の一方は、該第１及び該第２信号電極の間に、他方は該第１及び該第３信号電極の間に、各々配置されているため、差動信号出力を用いてより低電圧駆動が可能な光変調器を提供することが可能となる。
【図面の簡単な説明】
【００２０】
【図１】従来の光変調器に使用されるシングルエンド電極の構造を説明する図である。
【図２】従来の光変調器に使用される差動信号出力の両方の変調信号（Ｓ＋，Ｓ−）を用いる電極構成の例を説明する図である。
【図３】本発明の光変調器に係る第１の実施例を示す図である。
【図４】図３に示す電極構造を用いた光変調器を示す平面図である。
【図５】本発明の光変調器に利用可能な変換線路の例を示す図である。
【図６】中継基板にドライバ素子や変換線路を組み込む例を説明する図である。
【図７】本発明の光変調器に係る第２の実施例を示す図である。
【図８】本発明の光変調器に係る第３の実施例を示す図である。
【図９】本発明の光変調器における、信号電極を分割した様子を説明する図である。
【図１０】本発明の光変調器に係る第４の実施例を示す図である。
【図１１】本発明の光変調器に係る第５の実施例を示す図である。
【図１２】本発明の光変調器における、接地電極を分割した様子を説明する図である。
【図１３】本発明の光変調器に係る第６の実施例を示す図である。
【図１４】図９及び図１２の応用例を示す図である。
【発明を実施するための形態】
【００２１】
以下、本発明の光変調器について、好適例を用いて詳細に説明する。
本発明の光変調器は、図３に示すように、電気光学効果を有する基板１に光導波路（２１，２２）と制御電極が形成され、該光導波路は、少なくとも一つのマッハツェンダー型光導波路を有する光変調器において、該制御電極は、３つの信号電極を挟む２つの接地電極を備え、前記３つの信号電極は、第１（Ｓ１）信号電極を挟む第２（Ｓ２）及び第３（Ｓ３）信号電極で構成され、差動信号の一方の変調信号（Ｓ＋）が該第１信号電極に印加され、他方の変調信号（Ｓ−）は該第２及び該第３信号電極に印加される配線構造を備え、該マッハツェンダー型光導波路の２つの分岐導波路の一方（２１）は、該第１及び該第２信号電極の間に、他方（２２）は該第１及び該第３信号電極の間に、各々配置されていることを特徴とする。
【００２２】
本発明に利用される電気光学効果を有する基板は、ニオブ酸リチウムなどの誘電体基板や、ＥＯポリマーなどの樹脂基板、半導体基板などが利用可能である。また、本発明に誘電体基板を用いる場合は、電気光学効果が基板の表面に平行な方向が最も大きい材料の基板が使用され、例えばＸカットのニオブ酸リチウム基板が用いられる。
【００２３】
光導波路は、ＬＮ基板を用いる場合には、Ｔｉ等を熱拡散して形成することが可能である。また、後述するように基板に盛上り部分（リブ部分）を設けて光導波路を形成することもできる。
制御電極は、基板上にＡｕなどの導電体をメッキ法で形成したものであり、本発明の光変調器では、特に、変調信号を印加する信号電極（Ｓ１〜Ｓ３）や接地電極（Ｇ）の電極構造に特徴がある。
【００２４】
本発明の特徴は、図３に示すように、３つの信号電極（Ｓ１〜Ｓ３）を挟む２つの接地電極（Ｇ）を備え、差動信号の一方の変調信号（Ｓ＋）が第１電極（Ｓ１）に印加され、他方の変調信号（Ｓ−）は第２信号電極（Ｓ２）及び第３信号電極（Ｓ３）に印加されることである。そして、マッハツェンダー型光導波路の２つの分岐導波路の一方の分岐導波路（２１）は、第１及び該第２信号電極の間に、他方の分岐導波路（２２）は第１及び第３信号電極の間に、各々配置されている。
【００２５】
図１のシングルエンド電極や図２の電極構造（ＧＳＧＳＧ型の電極構造）では、差動信号の１つの変調信号（Ｓ＋，Ｓ−）と接地電極との電位差に相当する電界しか、光導波路に印加されていなかった。これに対し、図３のような電極構造を採用することで、差動信号の電位差による電界を、信号電極間（Ｓ１とＳ２との間，Ｓ１とＳ３との間）に発生させることが可能となる。図３の電界は、図１又は図２の場合と比較し、約２倍近い電界強度となるため、差動信号による低駆動電圧化の効果をより一層高めることが可能となる。しかも、信号電極の本数は合計３本であるため、特許文献１に記載の４本の信号電極を用いる場合よりも、配線構造が複雑化せず小型化も可能となる。
【００２６】
図４は、図３の電極構造を実現する光変調器の概略を示す平面図である。基板１には、光導波路２（２１，２２）と制御電極（信号電極Ｓ１〜Ｓ３，接地電極Ｇ）が形成されている。図４の一点鎖線における光変調素子（基板１）の断面図が図３となる。基板１の外部には、中継基板４や終端抵抗を備えた終端基板５が配置され、これらは、基板１と一緒に筐体３内に収容され、光変調器を構成している。また、図４に示すように、マッハツェンダー型変調器の動作点を調整するためのバイアス用電極（Ｂ１〜Ｂ３）が、別途設けられる場合もある。バイアス用電極（Ｂ１〜Ｂ３）には、図４のように、中継基板６を介して配線６１，６２でＤＣバイアス電圧が供給される。なお、中継基板を省略し、給電用の入力ピンから配線６１，６２に電気接続することも可能である。
【００２７】
中継基板４には、光変調器の外部より高速な差動信号を含む入力信号（Ｓｉｎ）が導入される。差動信号は２本の信号用端子（Ｓ＋とＳ−）と接地用端子しか無いため、図３又は４に示すような３本の信号電極（例えば、Ｓ＋を１本とＳ−を２本）と接地電極の組合せに変換するための変換線路が必要となる。変換線路は、中継基板４に設けることができるが、必要に応じて、基板１の作用部（変調部）までの電極線路に設けることも可能である。
【００２８】
図５は、中継基板４の変換線路の模式図を示したものである。高速な入力信号（Ｓｉｎ）用の端子は、Ｇ・Ｓ＋・Ｇ・Ｓ−・Ｇに対応した５本の端子が用意されている。中央のＧの端子が無い場合もある。中継基板４の下側は、出力信号（Ｓｏｕｔ）用の端子であり、Ｇ・Ｓ−・Ｓ＋・Ｓ−・Ｇに対応した５本の端子が用意される。入力側と出力側とは、電気線路（４１〜４５，４４１，４４２）で電気的に接続されている。
【００２９】
入力側のＳ＋端子は、出力側のＳ＋端子に対応して電気線路４２が形成されている。途中、符号Ｃで示した部分は、Ｓ−の変調信号と位相を合わせるための遅延回路である。また、入力側のＳ−端子は、出力側の２本のＳ−端子に合わせて、電気線路４４を２本の電気線路（４４１，４４２）に分岐して接続される。途中、符号ＢでＳ＋用の電気線路４２とＳ−用の電気線路４４１とが交差するが、電気的に接続しないよう多層基板等を用いて異なる層に線路が配置される。さらに、中央の接地用端子Ｇは、出力側では不要であるため、中継基板の接地層あるいは裏面の接地電極に接続されるが、出力側では端子が設けられない。図では模式図として概念を示しているだけであり、実際には多層基板を用いて、高周波性能が要求される性能を満たすようにパターン等が設計される。
【００３０】
図６は、筐体３の左手側に電気信号等の入出力端子を配置し、右手側に光ファイバなどの光学系の入出力部を配置する例である。基板１は平面視した際に長方形となっており、基板１の左の短辺側に変調信号等を入力する中継基板６が配置される。このような構成は高速な電気信号の入力部から光変調器の作用部までを、短距離でほぼ直線的に配置することができるため、より高速な信号の変調時に有利である。高速な電気信号の入出力端子には、同軸コネクタやフィードスルーやＦＰＣなどが用いられる。
【００３１】
基板１に形成された光導波路２は、右側から入った光波が途中で折り返され、マッハツェンダー型光導波路に入射するよう構成されている。図では基板内で１８０°折り返した場合を図示したが、基板外で光学素子や他の光導波路基板を用いて基板内の光導波路曲げとあわせて１８０°の折り返しを行う場合もある。中継基板６には、差動信号を増幅するドライバ素子６０が配置され、ドライバ素子６０から出力された差動信号（Ｓ’＋，Ｓ’−）は、変換線路を経て、基板１に設けられた光変調素子に入力される。図６では、図面の簡略化のため、接地電極関係は省略されている。また図６ではドライバ素子が光変調器内に内蔵される場合を示したが、中継基板にはドライバ素子が搭載せずに光変調器に入力される差動信号で直接変調されても良い。変調信号は、信号電極（Ｓ１〜Ｓ３）を経て、終端抵抗を備えた終端基板５に入力される。
【００３２】
図５のような中継基板６は、光変調器に駆動用ドライバを集積する場合にも、好適に用いることができる。また、差動出力が可能なドライバ素子６０を用いるため、図１のシングルエンド電極と比較し、低電源電圧や低消費電力の半導体素子を用いることが可能となる。そして差動出力可能なドライバ素子は、単一の半導体チップで、光変調器に必要な信号振幅を得ることができるため、中継基板の構成を簡素化かつ小型にすることができる。
【００３３】
ドライバ素子が集積される場合には、中継基板には差動の高周波線路以外にもドライバの駆動に必要な電源供給用のパターンや端子が設けられ、さらにキャパシタやインダクタなどの周辺素子が配置される場合もある。ドライバ素子の電源の一部がドライバの出力端子から供給されることもあり、その場合には光変調器の電極を経由することも可能である。その場合には、ＤＣ電圧が印加されるため、ＬＮ変調器等ではＤＣドリフトによるマッハツェンダー型変調器の動作点変動の問題が発生する。これに対しては、光変調素子の第１信号電極Ｓ１（Ｓ’＋）、第２（Ｓ２）及び第３’（Ｓ３）信号電極（Ｓ’−）に同一のＤＣ電圧を高周波信号に重畳して印加して、ドライバ素子に電源を供給することで、信号電極部に起因するマッハツェンダー型光変調器のバイアスドリフトを防ぐことができる。また、図６のバイアス電極（Ｂ１〜Ｂ３）に、信号電極で発生するバイアスドリフトを補償するように、ＤＣバイアス電圧を印加して制御することも可能である。
【００３４】
図７乃至１０は、基板１に薄板（２０μｍ以下）で導波路にリブ構造を採用した場合の例を説明する。それ以外にも導波路構造には、拡散導波路等の種々の構造を用いることもできる。薄板の基板１を用いた場合には、図７に示すように、基板１を保持する保持基板７を基板１に接合する。保持基板７は、電気光学基板１（ＬＮ等の誘電体基板、ＥＯポリマー、半導体など）よりも低屈折率な材料が利用される。例えば、石英、ガラス、樹脂などである。
また、基板１の下に、低屈折率層を介して別の保持基板を配置することも可能である。この場合の低屈折率層は、樹脂などの接着層であっても良い。低屈折率層を介して保持基板を配置した場合には、保持基板には基板１と同じ材料やシリコンなどの高屈折率材料を用いることもできる。
【００３５】
本発明の光変調器は、図７に示すような薄板基板を利用し、光導波路をリブ部分（１１，１２）で構成した、所謂、「薄板リブ構造」を組み合わせることで、より変調効率の高く、しかも、光変調素子のサイズを小型化することが可能となる。特に、リブ部分（１１又は１２）を差動信号が入力された信号電極（Ｓ１とＳ２、又はＳ１とＳ３）で挟むことにより、信号電極間に発生する電界を効率よくリブ部分の光導波路に印加することが可能となる。
【００３６】
信号電極（Ｓ１〜Ｓ３）は、信号電極間の間隔を狭めることにより、より変調効率が高い構造を実現することが可能である。しかしながら、電極間隔を狭めると、信号電極間の容量が増加するため、線路のインピーダンスが低下し易い。このため、図８に示すように、中央の信号電極Ｓ１を２つに分割することで電極間の容量を低減し、変調効率を落とさずに、インピーダンスの低下を抑制することができる。しかも、この場合には、光導波路の間隔は狭くする必要が無いため、光導波路間の光のクロストークによる特性劣化も発生しない。
【００３７】
図８の信号電極Ｓ１の斜視図を図９に示す。信号電極は、光導波路に沿って配置されるため、光導波路の延在する延在方向に沿って電極が２つに分割されている。分割された電極（ＬＥ，ＲＥ）は、電極間の電位差発生を防ぐため、延在方向に沿って部分的に電気的接続が施されている。電気的接続を行う接続部分ＣＥは分割された電極と同じ材料で、一体的に形成することも可能である。分割された接続部分ＣＥの配置間隔は、変調信号で使用する変調周波数あるいは変調シンボルレートと等しい周波数のマイクロ波の波長の４分の１以下、好ましくは１０分の１程度が好ましい。
【００３８】
図１０は、第１信号電極Ｓ１だけでなく、第２信号電極Ｓ２や第３信号電極Ｓ３についても、電極の分割処理を施したものである。信号電極を分割することは、インピーダンス対策のためだけではなく、信号電極と基板１との接触面積を減らし、両者の線膨張係数の差による内部応力の発生を抑制する効果もある。
【００３９】
本発明の光変調器は、ネスト型光導波路のように、複数のマッハツェンダー型光導波路が並列に配置された光導波路を備えた場合には、電気的クロストークの抑制も重要な課題となる。図１１及び１３は、２つの隣接するマッハツェンダー型光導波路を光波の進行方向に対して垂直に切断した断面図を示したものである。符号２１１と２２１（又は２１２と２２２）は、マッハツェンダー型光導波路を構成する２つの分岐導波路である。
【００４０】
また、本発明の特徴は、電気信号のクロストークを抑制するクロストーク抑制手段を設けることである。図１１や図１３のように、接地電極間（Ｇ１とＧ２との間、又はＧ２とＧ３との間）に３本の信号電極（Ｓ２１，Ｓ１１及びＳ３１、又はＳ２２，Ｓ１２及びＳ３２）が配置されているため、接地電極間の間隔が通常より広くなる。このため、電界が隣接する変調部に漏出し易くなり、クロストーク現象が発生し易くなる。
【００４１】
クロストーク抑制手段としては、図１１では、接地電極（Ｇ１〜Ｇ３）は、信号電極（Ｓ２１等）に対向する側面部分ＧＥがその他の本体部分ＧＢから切り離されており、該側面部分ＧＥと該本体部分ＧＢとの間には、光導波路の延在する方向に沿って部分的に電気的接続部分ＧＣが施されている。
【００４２】
このように、接地電極の側面部分ＧＥを本体部分ＧＢから切り離すことにより、信号電極と接地電極との間に形成される電界を側面部分ＧＥに集中させ、隣接するマッハツェンダー型光導波路がある変調部に電界が漏出しないよう構成することが可能となる。
【００４３】
なお、接地電極の側面部分ＧＥと本体部分ＧＢとを電気的に接続する接続部分ＧＣは、図１２に示すように、側面部分ＧＥが延在する方向（光導波路が延在する方向でもある）に沿って部分的に配置されている。接続部分ＧＣは側面部分ＧＥや本体部分ＧＢと同じ材料で、一体的に形成することも可能である。接続部分ＧＣの配置間隔は、変調信号で使用する変調周波数あるいは変調シンボルレートと等しい周波数のマイクロ波の波長の４分の１以下、好ましくは１０分の１程度が好ましい。
【００４４】
図９及び図１２に示す電気的接続を行う接続部分（ＣＥ，ＧＣ）の構成に代えて、図１４に示すような、誘電体層Ｒの上に厚みの薄い接続部分ＣＥ（ＧＣ）を配置する構成を採用しても良い。また、接続部分は、図９又は図１２のように、部分的に配置する構成を採用することも可能である。
【００４５】
また、他のクロストーク抑制手段としては、図１３に示すように、接地電極（Ｇ１〜Ｇ３）の上面の少なくとも一部（高さＬＧ）が、信号電極（Ｓ２１等）の上面（高さＬＳ）より高くすることである。図１３では、便宜上、信号電極Ｓ３２と接地電極Ｇ３を用いて高さ比較しているが、当該構成は、信号電極（Ｓ２１，Ｓ１１及びＳ３１、又はＳ２２，Ｓ１２及びＳ３２）と接地電極Ｇ２との関係にも当て嵌まる。
【００４６】
接地電極の上面に局所的に高い部分を形成する方法としては、図１３のように、部分的に形成された誘電体層Ｒを利用して、その上部に接地電極（Ｇ１〜Ｇ３）を積層すると、誘電体層３に対応して、接地電極の上面に突出部が形成される。この突出部により、クロストークに係る電界が接地電極を跨いで、隣のマッハツェンダー型光導波路や隣の信号電極に到達するのが抑制される。誘電体層３は、SiO2などの誘電体を成膜・パターニングして形成される。またフォトリソグラフィーによりパターニングできる永久レジストなどの樹脂を用いることも可能である。この場合には、誘電体材料を成膜するのに比べ、厚い層を得ることができるため、突出部がより高くなりクロストークの抑制に効果的である。
【産業上の利用可能性】
【００４７】
以上説明したように、本発明によれば、差動信号出力を用いてより低電圧駆動が可能な光変調器を提供することが可能となる。しかも、複数のマッハツェンダー型光導波路を集積化した光変調器において、さらに、クロストーク現象の発生を抑制した光変調器を提供することが可能となる。
【符号の説明】
【００４８】
１  電気光学効果を有する基板
２  光導波路
２１，２２  分岐導波路
３  筐体
４，６  中継基板
５  終端基板
７  保持基板
６０  ドライバ素子
Ｓ１，Ｓ１１，Ｓ１２  第１信号電極
Ｓ２，Ｓ２１，Ｓ２２  第２信号電極
Ｓ３，Ｓ３１，Ｓ３２  第３信号電極
Ｇ，Ｇ１〜Ｇ３  接地電極
【図１】
2020166164.tif 000003
【図２】
2020166164.tif 000004
【図３】
2020166164.tif 000005
【図４】
2020166164.tif 000006
【図５】
2020166164.tif 000007
【図６】
2020166164.tif 000008
【図７】
2020166164.tif 000009
【図８】
2020166164.tif 000010
【図９】
2020166164.tif 000011
【図１０】
2020166164.tif 000012
【図１１】
2020166164.tif 000013
【図１２】
2020166164.tif 000014
【図１３】
2020166164.tif 000015
【図１４】
2020166164.tif 000016